(57)【要約】本発明は、自身の固定屋根に屋根開口を有し、該屋根開口の何れかの側に固定案内レール（１、５）を備える車両用開放屋根構造体に関する。スライド（２）は、開放屋根構造体の閉鎖部材を可動に支持するために案内レールに案内される。カバープレート（３）は、閉鎖部材によって閉じることができ、かつ固定屋根を密封する屋根開口の後部側を規定する。開放屋根構造体のスライド（２）及びカバープレート（３）は連動して該開放屋根構造体の完全開放位置に１つのユニットを構成し、その後、これらのスライド及びカバープレートはユニットとして更に動くことができる。カパープレート（３）は案内レール（１、５）内で摺動できるカバープレートスライド（９）に取り付けられ、これらのカバープレートスライドの各々は閉鎖部材の隣接する後部スライド（２）によって作動されるべき、高さ調節機構（１１、１３）を構成し、この高さ調節機構は、ユニットが更に動くことが可能である以前に前記カバープレート（３）を上向きに動かす働きをする。
2004513016.tif 000002
【特許請求の範囲】
【請求項１】
自身の固定屋根に屋根開口を有する開放屋根構造体であって、前記屋根開口の何れかの側の固定案内レール（１、５）、前記開放屋根構造体の閉鎖部材を可動に支持するために前記案内レールに案内されるスライド（２）、並びに前記閉鎖部材によって閉鎖することができ、かつ前記固定屋根を密封するカバープレート（３）を備え、前記開放屋根構造体の前記スライド（２）及び前記カバープレート（３）が連動して該開放屋根構造体の完全開放位置にユニットを構成し、その後、これらのスライド及びカバープレートがユニットとして更に動くことができる、開放屋根構造体において、
前記カパープレート（３）は前記案内レール（１、５）内で摺動できるカバープレートスライド（９）に取り付けられ、これらのカバープレートスライドの各々は前記閉鎖部材の隣接する後部スライド（２）によって作動されるべき、高さ調節機構（１１、１３）を構成し、この高さ調節機構は、前記ユニットが更ぶ動くことができる以前に前記カバープレート（３）を上向きに動かす働きをすることを特徴とする、開放屋根構造体。
【請求項２】
前記高さ調節機構（１１、１３）が、前記カバープレート（３）の後部側近傍に位置づけられた回動ピン（７）の周りで少なくとも該カバープレートを回動させるように構成された、請求項１に記載の開放屋根構造体。
【請求項３】
前記高さ調節機構（１１、１３）は、隣接する前記スライド（２）の各々に側方カム（１３）を備える一方で、前記カバープレートには鉛直に延在するスロット（１１）が設けられた、請求項１または請求項２に記載の開放屋根構造体。
【請求項４】
前記カバープレート（３）の各端部には、リンクプレート（６）が取り付けられ、前記リンクプレートは協働する前記カバープレートスライド（９）に回動自在に連結される、請求項２または請求項３に記載の開放屋根構造体。
【請求項５】
錠止部材（１６）は、前記カバープレート（３）の両端部にあり、前記開放屋根構造体の前記スライド（２）及び前記カバープレート（３）が連動して完全開放位置に１つのユニットを構成しない限りは、前記錠止部材は前記案内レール（１、５）内の対向部材（１７）と協働し、もって前記カバープレートを前記案内レールに対して定位置に錠止するように構成されている、請求項１から請求項４までのいずれか１項に記載の開放屋根構造体。
【請求項６】
前記カバープレート（３）の鉛直方向への動きは、該カバープレートを前記案内レール（１、５）に対して定位置に錠止しかつ前記錠止係合を解除するため、並びに前記スライド（２）及び前記カバープレート（３）を連動させて１つのユニットを構成しかつ前記錠止係合を解除するために使用される、請求項１から請求項５までのいずれか１項に記載の開放屋根構造体。
【請求項７】
前記カバープレート（３）のリンクプレート（６）の各々には、該カバープレートの鉛直な動きと共に動く前記錠止部材（１６）としての錠止カムが下面に設けられる一方で、各対向部材（１７）は、協働する前記錠止カムを受け入れるために、前記案内レール（１、５）内で凹所の形態をしている、請求項４または請求項５に記載の開放屋根構造体。
【請求項８】
前記カバープレート（３）及び隣接する前記スライド（２）は、隣接する該スライド（２）を前記開放屋根構造体の完全開放位置にある前記カバープレート（３）に連結するために係合する連結部材（１３、１１、１６、１、５）を備える、請求項１から請求項７までのいずれか１項に記載の開放屋根構造体。
【請求項９】
前記高さ調節機構（１１、１３）のカム（１３）及びスロット（１１）が前記連結部材として働き、錠止部材（１６、１、５）と協働して前記カバープレート（３）を自身の後向きに動いた位置の上側位置に錠止する、請求項８に記載の開放屋根構造体。
【請求項１０】
前記カバープレート（３）の錠止カム（１６）は、前記案内レール（１８）と共に、前記錠止部材（１６、１、５）としても働く、請求項９に記載の開放屋根構造体。
【請求項１１】
前記カバープレート（３）のリンクプレート（６）が、協働する錠止部材（１８）による下面位置における前記カバープレートスライド（９）に対する鉛直移動に対して錠止される、請求項４から請求項１０までのいずれか１項に記載の開放屋根構造体。
【請求項１２】
各錠止部材（１８）が、自身が前記カバープレートを定位置に錠止する位置と、自身が前記カバープレートを解放する位置との間で、協働する前記カバープレートスライド（９）の横行ピボット（２１）周りに回動可能である、請求項１１に記載の開放屋根構造体。
【請求項１３】
前記錠止部材（１８）の各々は、前記カバープレート（３）の協働する前記リンクプレート（６）の係合部材（２０）に係合するフック（１９）を備える、請求項１１または請求項１２に記載の開放屋根構造体。
【請求項１４】
前記錠止部材（１８）の各々は、前記カバープレートが定位置に錠止される前記位置までばね部材（２４）によって荷重が掛けられる、請求項１１から請求項１３までのいずれか１項に記載の開放屋根構造体。
【請求項１５】
隣接する前記スライド（２）の各々は、協働する前記錠止部材（１８）を、少なくとも前記錠止位置から前記解放位置まで作動させることができる作動部材（２３）を備える、請求項１４に記載の開放屋根構造体。
【請求項１６】
作動部材（２３）及び連結部材（１３）の各々は、移動して前記カバープレートスライド（９）の支持スロット（１５）に係合し得る支持部（１４）に配置される、請求項１５に記載の開放屋根構造体。
【請求項１７】
各支持部（１４）は、隣接する前記スライド（２）の後部に延在するピンの形態をしており、そこから前記連結部材（１３）及び前記作動部材（２３）が横向きに延在することができる、請求項１から請求項１６までのいずれか１項に記載の解放屋根構造体。
【請求項１８】
固定屋根に屋根開口を有する開放屋根構造体であって、前記屋根開口の何れかの側の固定案内レール（１、５）、曲げ易いライナー、前記屋根開口を選択的に開閉するために前記案内レールに案内される、前記ライナーの開放側にある駆動可能な作動ビーム、前記ライナーを支持しかつ折り畳み屋根の開放時に自身の折り畳み移動を規定し、前記案内レール（１、５）に案内されるスライド（２）に取り付けられる、多数の折り畳み部材、並びに前記開放側から離れて面する前記ライナーの側にあって前記固定屋根に対する密封をするカバープレート（３）を備え、前記作動ビーム、前記スライド（２）及び前記折り畳み屋根のカバープレート（３）が連動して前記折り畳み屋根の完全開放位置に１つのユニットを構成し、その後、これらのスライド及びカバープレートがユニットとして更に動くことができる、開放屋根構造体において、
前記カパープレート（３）は前記案内レール（１、５）内で摺動移動できるカバープレートスライド（９）に取り付けられ、これらのカバープレートスライドの各々は前記閉鎖部材の隣接する後部スライド（２）によって作動されるべき、高さ調節機構（１１、１３）を構成し、この高さ調節機構は、前記ユニットが更に動くことができる以前に前記カバープレート（３）を上向きに動かす働きをすることを特徴とする、開放屋根構造体。
【請求項１９】
請求項１から請求項１８までのいずれか１項に記載の開放屋根構造体を取り取り付けた車両。
【発明の詳細な説明】
【０００１】
【発明の属する技術分野】
本発明は、請求項１の前文による、車両用開放屋根構造体に関する。
【０００２】
【従来の技術】
そのような開放屋根構造体は、国際公開第０１／１４１５８号パンフレットに開示される。この周知の構成によれば、折り畳み屋根（ｆｏｌｄｉｎｇ ｒｏｏｆ）はユニットとして車両の後部窓上の位置に移動される。この移動後、後部窓はブーツ形の可撓性囲い（ｂｏｏｔ）内に逆戻りする。
【０００３】
【発明が解決しようとする課題】
本発明の目的は、閉鎖部材の作動位置から後向きに移動された格納位置への信頼し得る移動を可能にするような態様で配置される、開放屋根構造体を提供することである。
【０００４】
【課題を解決するための手段】
この目的を達成するために、本発明による開放屋根構造体は、カバープレートが案内レールで摺動できるカバープレートスライドに取り付けられ、これらのカバープレートスライドの各々が閉鎖部材の隣接する後部スライドによって作動されるべき高さ調節機構を構成し、この高さ調節機構が、ユニットが更に動くことができる以前にカバープレートを上向きに動かすように働くことを特徴とする。
【０００５】
カバープレートのこの構造体は、カバープレートが閉鎖部材の作動位置を密封することを可能とし、この密封はカバープレートを上向きに動かすことによって破断され、この上向きに動かされた位置では、カバープレートは後部に動かされるために解放される。カバープレートの上向きの動きは、上記後部への動きを可能にするためにカバープレートの錠止を解除するためにも利用することができる。
【０００６】
本発明の有利な実施形態は、従属クレームの主題を構成する。本発明は、内部で多数の部品が１つ以上の機能を有する、カバープレート近傍の極めてコンパクトな作動機構に繋がる。
【０００７】
【発明の実施の形態】
本発明による開放屋根構造体の例示的実施形態を示す、図面を参照して本発明をより詳細に説明する。
【０００８】
本発明は、その内容を本願明細書の参考文献として援用する、オランダ特許出願第１０１６５７８号に示すような車両用開放屋根構造体で使用するために排他的にではなく特に構成されたものである。
【０００９】
この実施形態では、開放屋根構造体は、車両の屋根に形成された屋根開口の何れかの側に固定案内レールを慣用的に設けた、折り畳み屋根を備える。ガイドレールの１つは図面の参照符号１によって示される。折り畳み屋根は、更に、曲げ易いライナー（図示せず）、及び屋根開口を選択的に開閉するために案内レール１に案内される、ライナーの前部側にある駆動可能な作動ビーム（ｄｒｉｖａｂｌｅ ｏｐｅｒａｔｉｎｇ ｂｅａｍ）を備える。ライナーを支持しかつ折り畳み屋根が開放される際の該折り畳み屋根の折り畳み運動を規定するために多数の折り畳み部材が設けられる。折り畳み屋根のこれらの部品は本発明の一部を構成せず、従ってこれらはより詳細には図示しない。折り畳み部材は案内レールに案内されるスライドに取り付けられる。これらのスライドのうちの後部スライド２は図面に示されている。折り畳み屋根の後部側、あるいはライナーを開放することによって形成される屋根開口の後部側は、折り畳み屋根の後部側の固定屋根を密封するライナー後部側に固定されるカバープレート３によって規定される。折り畳み屋根の作動ビーム、スライド２及びカバープレート３は連動して折り畳み屋根の完全開放位置に１つのユニットを構成することができ、このユニットは引き続いて車両の後部窓４の位置まで移動することができる。後部窓４には同様にして、車両の案内レール１と整合された案内レール５が設けられる。この後部窓の作動及び構造は上述した特許出願にかなり詳しく記載かつ説明されている。それ故、本願明細書では詳細に検討しない。
【００１０】
カバープレート３は、折り畳み屋根の通常の動作中は不動のままであって屋根開口を密封するが、このカバープレートの後部窓４までの移動を可能にすべく、密封位置から持上げて錠止を解除する必要があり、これは本発明によって実現することができる。
【００１１】
図２は、カバープレート３及びスライド２の部品を拡大して示す。図面に示したように、カバープレート３の案内レール１の位置にはリンクプレート６が設けられる。このリンクプレートは、自身の後部側近傍に案内カム６を具備する回動ピン７を備える。この回動ピンによって、リンクプレート６はカバープレートスライド９に回動自在に取り付けられる。案内カム８は案内孔１０にきっちりと嵌められる。この案内孔は案内カム８より僅かに大きな角度で傾斜される。このようにして、リンクプレート６の最大回動角度を画定する。
【００１２】
スロット１１がカバープレートスライド９の前部側近傍に形成される。このスロットは前部に開放する。この前部には設置管（ｌｏｃａｔｉｎｇ ｆｕｎｎｅｌ）１２が形成され、スロット部分１１′がこの設置管の背後の案内レール１に平行に延在し、このスロット部分１１′は下向きかつ後ろ向きに傾斜するスロット部分１１″内に続く。前記スロット１１は、折り畳み屋根の隣接するスライド２の側方（連結）（ｌａｔｅｒａｌ （ｃｏｕｐｌｉｎｇ））カム１３と協働することができる。カム１３及びスロット１１は、連結してカバープレート３に対する高さ調節機構を構成する。
【００１３】
横向きのカム１３は、後ろ向きに延在するピン１４の形態をした支持部に存在する。このカムはカバープレートスライド９の支持スロット１５に係合することができる。この支持スロットは案内レール１に平行に延在する。折り畳み屋根の部品が連動して１つのユニットを構成する、折り畳み屋根の位置では、ピン１４は、その全体が支持スロット１５に収容される。その結果、カム１３、及び従ってピン１４に働き得る何れの力も適切に吸収し得る。
【００１４】
図面は、錠止カム１６がカバープレート３のリンクプレート６の下面に存在することを更に示す。このカムは回動ピン７から或る距離だけ離隔されている。その結果、このカムは、リンク・プレート６の回動時にカバープレートと共に鉛直方向に沿って移動する。下側の、カバープレート３の錠止位置では、錠止カム１６はリンクプレート６の錠止カム１６の形態をした錠止部材に対する対向部材として錠止凹所１７に係合する。カバープレート３は、錠止カム１６が錠止凹所１７に係合する結果として、案内レール１の長手方向の定位置に錠止される。
【００１５】
錠止するカム１６の下面は、カバープレート３が上向きに回動された位置では、錠止カム１６の下面は、前記案内レール５の底部に載って案内レール１、５に対して少なくとも実質的に平行に延在するような態様で僅かに傾斜される。その結果として、錠止カム１６はそれぞれのリンクプレート６を上向きの回動位置に錠止し、このようにしてそれぞれのリンクプレートの下向きに回動する移動を防止する。従って、カム１３をスロット１１と係合させる組合せで、カバープレート及び後部スライド２が連動して後向きに移動された位置にユニットを構成することが保証される。前記スライド２は先行するスライド及び作動ビームと連動するため、前記部品は全て連動して後向き位置に１つのユニットを構成する。
【００１６】
図面中に更に示すように、カバープレートスライド９は前記リンクプレート６の下向きに回動された錠止位置でリンクプレート６に係合する肩部２０の背後に引っ掛けることができるホック１９を備える錠止部材１８を含む。ホック１９を備える錠止部材１８は、カバープレートスライド９の横方向に延在するピボット２１の周りで回動される。係合カム２２を作動させるために含まれる錠止部材１８上に該係合カム２２が存在し、この係合カム２２と、隣接するスライド２の後向きに延在するピン１４上の作動カム２３は、このカムがリンクプレート６を定位置に錠止する位置から、このカムがリンクプレートを解放する位置まで錠止部材１８を回動させるために接触可能である。係合カム２２、従って錠止カム１８は、カバープレートスライド９上の偏倚ばね２４によってばね荷重が掛けられている。このばねは、自身がリンクプレート６、従ってカバープレート３を定位置に錠止する位置まで錠止部材１８を偏倚させる。
【００１７】
本発明による開放屋根構造体の実施形態の作動を図２〜図７を参照して説明する。
【００１８】
図２はほとんど完全開放位置にある折り畳み屋根を示す。この位置では、カバープレート３は、案内レール１と案内レール５との遷移位置に錠止される。後部スライド２はカバープレート３に近接する。カバープレート３は、錠止カム１６と錠止凹所１７との係合の結果として案内レール１に対して定位置に錠止される。錠止部材１８のフック１９は、カバープレート３のリンクプレート６の肩部２０の周りに係合する。その結果、カバープレート３は密封位置に錠止される。
【００１９】
図３では、後部スライド２は、スライドのピン１４の後部部分が支持スロット１５に入る後部まで移動され、かつ前記ピン１４上の支持スロット１５の横向き連結カム１３はスロット１１の始まりに到着する。
【００２０】
図４は、スライド２のピン１４上の作動カム２３が、錠止部材１８の係合カム２２と係合するようになり、かつ横向きのピボット２１の周りに錠止部材１８を回動させる位置を示す。その結果、ホック１９は肩部２０との係合から外れる。今度は、カバープレート３のリンクプレート６は、回動ピン７の周りで回動するために解放される。
【００２１】
図５に示される位置では、しかもスロット１１の傾斜スロット部分１１″内の連結カム１３の運動の結果として、前記回動運動が始まる。鉛直方向には移動し得ない連結ピン１３が前記傾斜スロット部分１１″内に移動し得る唯一の方法は、リンクプレート６の回動運動による。
【００２２】
図６では、リンクプレート６は、錠止カム１６が錠止凹所１７から出るというスロット１１内のカム１３の運動によって上向きにある程度まで回動される。その結果としてカバープレート３はもはや案内レール１の定位置に錠止されない。カバプレート３は今度は、図６で既に起こったように、スライド２の後向き運動に追従することができる。錠止カム１６は案内レール１／５の底より上に移動し、かつ前記案内レールに係合する。その結果として、リンクプレート６はもはや下向きには回動せず、リンクプレート６はこのようにしてこの上側位置における回動運動に対して錠止される。従って、スライド２及びカバープレート３も、連結カム１３がスロット１１のスロット部分１１″に係合する結果として定位置に錠止される。結局、カム１３は、リンクプレート６の回動運動の結果としてスロット１１を通じてのみ動き得る。
【００２３】
図７では、カバープレート６及びスライド２から成るユニットが、後部窓４上の位置まで後向きに移動し、その結果、ユニットは後部窓の案内レール５に存在する。このように、折り畳み屋根全体は、後部窓４上の位置まで移動し得る。
【００２４】
カバープレート３の復帰運動は比較的に可逆の態様で生じる。案内レール１に対するカバープレート３の錠止及びスライド２の分離は、逆の態様で生じる。ホックを備えた錠止部材１８は、偏倚ばね２４によって強制的に錠止位置へ戻される。
【００２５】
上述したことから、本発明はコンパクトで信頼できる構造体を提供することは明らかである。それは、カバープレート３が正確に錠止され解錠され、そして密閉位置から、及びこの密封位置へ移動したことを保証する。本発明は、折り畳み屋根を備えるそれの使用に限定されない。本発明の原理は折り畳み屋根を備えて使用するのみならず、スポイラー屋根しゅうどう屋根、小割板屋根あるいは折り畳みライナー以外の閉鎖部材を備える類似の屋根のような、他の屋根タイプを備えて使用される。
【図面の簡単な説明】
【図１】図１は、カバープレート及び折り畳み屋根の１つのスライドが内部に存在する、開放屋根構造体の案内レールの１つの側面図である。
【図２】折り畳み屋根の後部側、折り畳み屋根の折り畳み位置から後部移動位置までの移動を、カバープレート及びスライドの種々の位置で示す、案内レールの一部の拡大図である。
【図３】折り畳み屋根の後部側、折り畳み屋根の折り畳み位置から後部移動位置までの移動を、カバープレート及びスライドの種々の位置で示す、案内レールの一部の拡大図である。
【図４】折り畳み屋根の後部側、折り畳み屋根の折り畳み位置から後部移動位置までの移動を、カバープレート及びスライドの種々の位置で示す、案内レールの一部の拡大図である。
【図５】折り畳み屋根の後部側、折り畳み屋根の折り畳み位置から後部移動位置までの移動を、カバープレート及びスライドの種々の位置で示す、案内レールの一部の拡大図である。
【図６】折り畳み屋根の後部側、折り畳み屋根の折り畳み位置から後部移動位置までの移動を、カバープレート及びスライドの種々の位置で示す、案内レールの一部の拡大図である。
【図７】折り畳み屋根の後部側、折り畳み屋根の折り畳み位置から後部移動位置までの移動を、カバープレート及びスライドの種々の位置で示す、案内レールの一部の拡大図である。
【符号の説明】
１、５　案内レール
２　後部スライド（スライド）
３　カバープレート
６　リンクプレート
９　カバープレートスライド
１１　スロット（高さ調節機構）
１３　横向きカム（高さ調節機構）
１６　錠止カム
１７　錠止凹所
１８　錠止部材
１９　フック
２０　係合する肩部
２３　作動カム
２４　偏倚ばね
【国際公開パンフレット】
2004513016.tif 000003
2004513016.tif 000004
2004513016.tif 000005
2004513016.tif 000006
2004513016.tif 000007
2004513016.tif 000008
2004513016.tif 000009
2004513016.tif 000010
2004513016.tif 000011
2004513016.tif 000012
2004513016.tif 000013
2004513016.tif 000014
2004513016.tif 000015
2004513016.tif 000016
2004513016.tif 000017
2004513016.tif 000018
2004513016.tif 000019
2004513016.tif 000020
2004513016.tif 000021
【国際調査報告】
2004513016.tif 000022
2004513016.tif 000023